(57)【要約】【課題】道路交通情報を有効に活用して運転者のニーズに応じたルート情報や所要時間をより精密に提示するナビゲーション装置を提供する。【解決手段】外部から道路交通情報を受信する受信部１１と、現在地を求める測位部１２と、測位部１２より求めた現在地から地図情報に基いて目的地までのルートとして、道路交通情報を考慮したルートと、考慮しないで一般道路や高速道路を優先するルートを探索する経路探索部１３と、経路探索部１３で探索した各ルートを表示すると共にユーザからの目的地情報や各種入力情報の入力を受ける入出力部１４と、経路探索部１３により探索したルート毎に受信部１１で受信した道路交通情報に基いて目的地までの所要時間を算出する時間算出部１５と、を有する。時間算出部１５は、経路探索部１３で探索した各ルートの何れにおいても受信部１１で受信した道路交通情報を考慮して目的地までに要する時間を算出する。【選択図】図１
2009186381.tif 000002
【特許請求の範囲】
【請求項１】
外部から道路交通情報を受信する受信部と、
現在地を求める測位部と、
上記測位部より求めた現在地から地図情報に基いて目的地までのルートとして、道路交通情報を考慮したルートと道路交通情報を考慮しないルートとを探索する経路探索部と、
上記経路探索部で探索した各ルートを表示すると共にユーザからの目的地情報や各種入力情報の入力を受ける入出力部と、
上記経路探索部により探索したルート毎に上記受信部で受信した道路交通情報に基いて目的地までの所要時間を算出する時間算出部と、を有するカーナビゲーション装置。
【請求項２】
前記時間算出部は、前記経路探索部で探索した各ルートの何れにおいても前記受信部で受信した道路交通情報を考慮して目的地までに要する時間を算出する、請求項１に記載のナビゲーション装置。
【請求項３】
前記受信部が受信する道路交通情報はＶＩＣＳ（Vehicle Information and Communication System）情報である、請求項１に記載のカーナビゲーション装置。
【発明の詳細な説明】
【技術分野】
【０００１】
本発明は、ＶＩＣＳ（Vehicle Information and Communication System）情報などの道路交通情報を活用し運転者に対して高精度な情報を提供するカーナビゲーション装置に関する。
【背景技術】
【０００２】
カーナビゲーション装置は、ＧＰＳ（Global Positioning System）による測位機能と経路探索機能に地図情報を組み合わせて構成され、運転者により入力された目的地に到達するのに適切な経路を探索して液晶パネルに表示し、運転者に最適ルートを案内する。
【０００３】
従来のカーナビゲーション装置では、車両の走行スピードと、カーナビゲーション装置に設定された各道路での平均速度値と、使用する道路に関する情報とで、目的に到達するまでに要する時間を割り出し、運転者に対して目的地への到達予想時刻を提供していた。その際、現在地から目的地までのルートは、有料道路を優先的に利用するケースと、一般道路を優先的に利用するケースと、走行距離の短いルートを優先的に利用するケースと、それ以外の別ルートを利用するケースで、運転者によって選択可能となっている。
【０００４】
特許文献１では、ＧＰＳによる測位機能により車両の現在位置を取得し、ＶＩＣＳ受信機により道路交通情報を受信し、現在位置が渋滞地点若しくは渋滞区域にある場合には、たとえ低速で走行していてもその間の車速を除外して平均車速を計算することで、目的地までの走行所要時間をより正確に予測する技術が開示されている。
【０００５】
【特許文献１】特開２００６−１８４２３２号公報
【発明の開示】
【発明が解決しようとする課題】
【０００６】
ところで、ＶＩＣＳ情報などの道路交通情報として、渋滞情報、リンク旅行時間、区間旅行時間情報、事象規制情報などがＶＩＣＳセンターから送信されている。しかしながら、これらの情報と地図情報とをリンクさせ、運転者に対して最適なルートや正確な所要時間を提供することがなされていない。
【０００７】
本発明は、ＶＩＣＳ情報などの道路交通情報を有効に活用することで、運転者のニーズに応じたルート情報や所要時間をより精密に提示するナビゲーション装置を提供することを目的とする。
【課題を解決するための手段】
【０００８】
上記目的を達成するために、本発明は、外部から道路交通情報を受信する受信部と、現在地を求める測位部と、測位部より求めた現在地から地図情報に基いて目的地までのルートとして、道路交通情報を考慮したルートと道路交通情報を考慮しないルートとを探索する経路探索部と、経路探索部で探索した各ルートを表示すると共にユーザからの目的地情報や各種入力情報の入力を受ける入出力部と、経路探索部により探索したルート毎に受信部で受信した道路交通情報に基いて目的地までの所要時間を算出する時間算出部と、を有する。特に、時間算出部は、経路探索部で探索した各ルートの何れにおいても受信部で受信した道路交通情報を考慮して目的地までに要する時間を算出する。受信部が受信する道路交通情報はＶＩＣＳ（Vehicle Information and Communication System）情報である。
【発明の効果】
【０００９】
本発明によれば、受信部が受信した道路交通情報と測位部が求めた現在地に関する情報と入出力部から入力された目的地情報とを基にして、経路探索部が現在地から地図情報に基いて目的地までのルートとして、道路交通情報を考慮したルートと道路交通情報を考慮しないルートとを探索する。そして、この探索したルート毎に道路交通情報を考慮して目的地までの所要時間を算出して入出力部から出力する。よって、ユーザに対して精密できめ細かいナビゲーションを行うことができる。また、ナビゲーション装置を車両に搭載するだけでよいので、既存のインフラ設備を使用することができ低コストで実現できる。
【発明を実施するための最良の形態】
【００１０】
以下、図面を参照して本発明の実施形態を説明する。
（カーナビゲーション装置の構成）
図１は、本発明の実施形態に係るカーナビゲーション装置１のブロック構成図である。カーナビゲーション装置１は、受信部１１と測位部１２と経路探索部１３と入出力部１４と時間算出部１５とを有する。各部は次のような機能を備える。
【００１１】
受信部１１は各種アンテナから構成され、電波ビーコンや光ビーコンやＦＭ放送で送信されている道路交通情報、好ましくはＶＩＣＳ（Vehicle Information and Communication System）情報を受信する。この道路交通情報は、渋滞距離や区間平均速度などの渋滞情報と、速度規制や工事や事故などの道路状況に関する情報とが含まれている。
【００１２】
測位部１２は、ＧＰＳから電波信号を受信する受信機１２Ａと、自車両の移動量を検出するジャイロスコープ１２Ｂと、走行速度を検出する走行速度センサー１２Ｃと、自車両の進路方向を検出する地磁気センサー１２Ｄなどから構成される。測位部１２は、内蔵の各センサーなどで現在地を正確に求める。
【００１３】
経路探索部１３は、道路地図情報を格納した記録媒体１３Ａと、この記録媒体１３Ａを読み取るための読取部１３Ｂと、読取部１３Ｂで読み取った道路地図情報を元に入出力部１４から入力された目的地と測位部１２で求めた現在地とから複数のルートを求める算出部１３Ｃと、から構成される。経路探索部１３は、測位部１２より求めた現在地から地図情報に基いて目的地までのルートを探索する。このとき、道路交通情報を考慮したルートと道路交通情報を考慮しないルートとを探索する。
【００１４】
入出力部１４は、例えばタッチパネルディスプレイで構成される。入出力部１４は、読取部１３Ｂで読み取った道路地図情報と測位部１２で求めた現在地とから現在近辺の地図をタッチパネルディスプレイに表示し、ユーザに対し目的地となる地点の入力を受ける。入出力部１４は、ユーザからの選択情報、例えばルート探索を行う旨などの各種入力ボタンの表示を行い、ユーザに対してメニュー表示も行う。一方、入出力部１４は、経路探索部１３で求めたルートを、タッチパネルディスプレイ上に表示している道路地図に各種の色を付すなどして経路探索部１３で探索したルートを表示する。
【００１５】
時間算出部１５は、経路探索部１３により探索したルート毎に受信部１１で受信した道路交通情報に基いて目的地までの到達時間を算出する。時間算出部１５でのルート毎の算出については後述する。
【００１６】
（カーナビゲーションでのルート及び所要時間の算出）
ここで、図１に示すカーナビゲーション装置１によるルート及び所要時間がどのように案内されるかについて詳細に説明する。図２は、入出力部１４のタッチパネルディスプレイに表示される内容の一例である。図２には、いまユーザが現にいる現在地Ｓとその周りの道路マップを示し、１号から６号までの各道路が表示されている。
【００１７】
先ず、運転者などのユーザにより目的地が入出力部１４から入力される。具体的には、読取部１３Ｂで読み取った道路地図情報と測位部１２で求めた現在地とから現在近辺の地図が入出力部１４のタッチパネルディスプレイに表示され、ユーザから目的地となる地点の入力を受ける。これにより、図２に示すように記号「Ｄ」が目的地として示される。
【００１８】
入出力部１４がルート探索の指令入力を受ける。すると、経路探索部１３は、現在地から目的地までのルートを探索する。具体的には、道路地図情報に含まれている主要道路、高速道路、一般道路の区別情報を参照しながら、有料道路を経由するルートと、有料道路を経由しないルートと、最短距離となるルート、迂回するルートなどを求める。経路探索部１３は、これらの経路探索と同時に又は相前後して、受信部１１で受信した道路交通情報のうち、渋滞距離や区間平均速度などの渋滞情報や、速度規制や事故や工事などの道路状況に関する情報を元に、道路地図情報の各交差点の情報から、現在地から目的地までのルートで最適なルートをＶＩＣＳ推奨ルートとして求める。図２に示す例では、記号Ｒ１で示すルートが道路交通情報を考慮しないルートとして求められ、記号Ｒ２として道路交通情報を考慮したルート、即ちＶＩＣＳ推奨ルートとして求められる。記号Ｒ１で示すルートは最も距離が短いが、道路交通情報として合流点Ａ〜合流点Ｂまでの区間（図にハッチングを付した区間）が道路渋滞区間であり、その道路渋滞区間を避けるようにルートＲ２が求められる。なお、経路探索部１３で求めた各ルートは、有料道路を優先的に利用するルート、一般道路を優先的に利用するルート、最短距離となるルート、ＶＩＣＳ推奨ルート、その他のルートとして、既に入出力部１４のタッチパネルディスプレイに色別に表示される。その際、道路交通情報として受信部１１で受信した渋滞区間についてもディスプレイに渋滞の度合いに応じて表示する。例えば合流点Ａ〜合流点Ｂの区間が軽度の渋滞であればその渋滞区間を黄色で表示し、例えば合流点Ｃ〜合流点Ｄの区間が重度の渋滞であればその渋滞区間を赤色で表示する。
【００１９】
時間算出部１５は、各ルートをタッチパネルディスプレイに表示し始めると同時に又はその前後で、現在地から目的地までの所要時間を計算する。その際、経路探索部１３で求めたルート毎に所要時間を求める。例えば、ＶＩＣＳ推奨ルート以外の有料道路を優先的に利用するルートや一般道路を優先的に利用するルートや最短距離となるルートやその他のルートにおいても、道路交通情報のうち渋滞区間情報やその渋滞区間の距離やその渋滞区間を通過するのに要する平均時間に関する各情報に基いて、読取部１３Ｂで記録媒体１３Ａから読み取った道路地図情報を参照しながら、ルート毎に、現在地から目的地までに要する時間を算出する。一方、ＶＩＣＳ推奨ルートでの所要時間は、道路交通情報のうち渋滞区間情報やその渋滞区間の距離やその渋滞区間を通過するのに要する平均時間に関する各情報の他に規制区間などの情報に基いて、読取部１３Ｂで記録媒体１３Ａから読み取った道路地図情報を参照しながら、ルート毎に、現在地から目的地までに要する時間を算出する。何れの算出の場合においても、渋滞区間の軽重では、渋滞区間の距離情報と、渋滞区間を通過するのに要する時間や通過する際の平均車速に関する過去の統計情報を用いて目的地までに至る所要時間を算出する。この過去の統計情報は道路交通情報として受信した情報であっても、内蔵のメモリーに格納した情報であってもよい。
【００２０】
入出力部１４は、ユーザからの所要時間や到達時刻について提供するよう要求されると、即ち、タッチパネルディスプレイに表示されたメニューのうち到達時間の提供要求ボタンが押されると、表示しているルート毎に、所要時間や到達時刻などを文字や音声で出力する。これにより、ＶＩＣＳ推奨ルートでは、渋滞区間を考慮して求めた最短ルートでの所要時間や到達時刻が提供される一方、一般道路や高速道路を優先利用するルートでは、従来のように渋滞や速度規制、工事規制などを考慮しないで求めたルートが提示されるものの、渋滞や速度規制、工事規制などを考慮して所要時間や到達時刻が提供される。
【００２１】
以上のように、本実施形態によるカーナビゲーション装置１では、ＶＩＣＳ情報などの道路交通情報を有効に活用することで、運転者のニーズに応じたルート情報や所要時間をより精密に提示される。
【図面の簡単な説明】
【００２２】
【図１】本発明の実施形態に係るカーナビゲーション装置のブロック構成図である。
【図２】図１に示す入出力部のタッチパネルディスプレイに表示される内容の一例である。
【符号の説明】
【００２３】
１：カーナビゲーション装置
１１：受信部
１２：測位部
１２Ａ：受信機
１２Ｂ：ジャイロスコープ
１２Ｃ：走行速度センサー
１２Ｄ：地磁気センサー
１３：経路探索部
１３Ａ：記録媒体
１３Ｂ：読取部
１３Ｃ：算出部
１４：入出力部
１５：時間算出部
【図１】
2009186381.tif 000003
【図２】
2009186381.tif 000004